(57)【要約】【課題】ＬＥＤ街灯放熱構造を提供する【解決手段】街灯本体１の一端にカバー１１を設け、該カバーの内部にＬＥＤ発光モジュール１３を設置する。該街灯本体内を貫通する通気ダクト及び、該ダクトに該外気を導入する穴１５を設けると共にＬＥＤ発光モジュール１３を設置したカバー側に内部の空気を排出する通気口１６を設置し、さらに、該通気ダクト内に放熱ファン２を設置する。ＬＥＤ発光モジュールで発生した熱は、放熱ファンにより穴１５から導入された空気により冷却されて、通気口より排出され、効果的にＬＥＤ発光モジュールの放熱効果を上げ、該街灯本体の光線照度が増し、同時に省エネの効果も得られる。【選択図】  図２
0003158835.tif 000002
【実用新案登録請求の範囲】
【請求項１】
支柱と一体に構成された街灯本体の一端にカバーを設け、該カバー内にＬＥＤ発光モジュールを配置すると共に、該街灯本体内部に該カバー内の該ＬＥＤ発光モジュールに到る通気ダクトを設け、
放熱ファンを該通気ダクト内に設置して、該放熱ファンにより通気ダクトを経てＬＥＤ発光モジュールに至る気流を送り出すようにしたことを特徴とするＬＥＤ街灯放熱構造。
【請求項２】
前記街灯本体の通気ダクトの放熱ファンに対応する位置に外気を導入する穴を設け、該穴に対して放熱ファンを設置して、放熱ファンが作り出す気流を通気ダクト内に流通させることを特徴とする請求項１記載のＬＥＤ街灯放熱構造。
【請求項３】
前記ＬＥＤ発光モジュールの上に放熱器を設置したことを特徴とする請求項１記載のＬＥＤ街灯放熱構造。
【請求項４】
前記街灯本体に空気を排出する通気口を設け、ＬＥＤ発光モジュールが生じる熱を、放熱ファンが作り出す気流と共に該通気口より排出することを特徴とする請求項１記載のＬＥＤ街灯放熱構造。
【請求項５】
前記放熱器は、更に一つのヒートシンク熱導管を設けたことを特徴とする請求項３記載のＬＥＤ街灯放熱構造。
【考案の詳細な説明】
【技術分野】
【０００１】
本考案は街灯の構造に関し、特にＬＥＤを光源とし、放熱効果を上げることのできるＬＥＤ街灯放熱構造に関する。
【背景技術】
【０００２】
暗闇を照らす街灯は、安全面においても、非常に大事な設備である。エコ及び省エネを考慮し、多くのメーカーが従来技術の白熱電球やハロゲンランプ、蛍光灯、水銀灯及びナトリウム灯をメインとする街灯の代わりとなるものを研究開発している。他の光源と比べ、発光ダイオードは顕著にエネルギーを節約できる特徴を具有し、様々な照明装置に広く使われ、特に道路を照らす街灯に使われている。
【０００３】
発光ダイオード(ＬＥＤ)は冷発光であり、電気消耗量が少なく、エコ且つ部品の寿命が長い、低汚染、暖機時間が不要、反応スピードが速く、効率が良いなどの特性を持つ。また、街灯は更に明るい光線照度が必要であるため、通常高効率の発光ダイオードを採用し、比較的多くの電流を発光ダイオードに流すことで、更に明るい光線照度を得ることができる。
【０００４】
しかし、光線照度を上げると同時に、熱が発生するのは避けることができない。発生した熱を直ちに排出しなければ、発光ダイオードの周囲に熱が蓄積して発光効率が下がることになり、更に発光ダイオードの寿命にも影響を来たす。しかし、ＬＥＤを主要光源とする街灯の数は多いが、放熱効果が悪いという現状は常に存在しているため、ＬＥＤを主要光源とする街灯が高熱により焼損し、輝度低下し、さらに寿命が短くなるなどの短所があるのを鑑みて、更なる改善が必要であった。
【先行技術文献】
【特許文献】
【０００５】
【特許文献１】特開２００９−４９４０５号公報
【特許文献２】特開２００３−１００１１１号公報
【考案の概要】
【考案が解決しようとする課題】
【０００６】
前記公知構造の欠点を解決するため、本考案は放熱効果を上げるＬＥＤ街灯放熱構造を提供することを主な課題とする。
【課題を解決するための手段】
【０００７】
上述の目的を解決するために、本考案はＬＥＤ街灯の放熱構造を提供する。支柱と一体構造の街灯本体及び少なくとも一つの放熱ファンを備え、街灯本体の一端にカバーを具有し、該カバー内にＬＥＤの発光モジュールを設置する。街灯本体内に貫通する通気ダクトを具有し、該通気ダクト内に放熱ファンを設置する。該放熱ファンは前記通気ダクト内にて気流を生じて流動させ、且つ該気流がＬＥＤ発光モジュールまで流れるため、効果的にＬＥＤ発光モジュール全体の放熱効果を上げることができる。
【考案の効果】
【０００８】
本考案は、街灯本体内に貫通する通気ダクトを具え、該通気ダクト内に放熱ファンと穴を設置することで、該穴より入り込んだ空気が放熱ファンによって気流を作り出し、該気流がＬＥＤ発光モジュールまで流れて、熱を気流と共に通気口より排出するため、効果的にＬＥＤ発光モジュール全体の放熱効果を上げ通気ダクト共に、該街灯本体の光線照度が増し、省エネの効果も得られる。
【図面の簡単な説明】
【０００９】
【図１】本考案における最良実施例の立体分解図である。
【図２】本考案における最良実施例の局部断面略図である。
【図３】本考案における最良実施例の実施略図である。
【図４】本考案における別の最良実施例の立体分解図である。
【図５】本考案における別の最良実施例の局部断面略図である。
【図６】本考案における別の最良実施例の実施略図である。
【考案を実施するための形態】
【実施例】
【００１０】
本考案によるＬＥＤ街灯放熱構造を明確に示すために図に沿って詳細な説明を行うが、これにより本考案の保護範囲が限定されるものではない。
【００１１】
図１、図２及び図３に示すのは、本考案のＬＥＤ街灯放熱構造の最良実施例である。本考案の該ＬＥＤ街灯放熱構造を構成するのは街灯本体１及び少なくとも一つの放熱ファン２、カバー１１、透光カバー１２である。該街灯本体１の一端にカバー１１を具有し、該カバー１１の一面に光を透過できる透光カバー１２を設置する。該カバー１１内にＬＥＤ発光モジュール１３を設け、該ＬＥＤ発光モジュール１３が生じる光源は透光カバー１２を通じて照射される。該街灯本体１の内部は中空状の貫通する通気ダクト１４を構成し、該通気ダクト１４の開口に該カバー１１内に設置する。カバーに近い通気ダクト１４の一部に穴１５を設け、該穴１５に放熱ファン２を設置し、電気接続した放熱ファン２は穴１５より空気を吸い込んで気流を生じ、該気流は通気ダクト１４内を流動して１１の開口まで流れる。該街灯本体１の透光カバーの後方に更に通気口１６を設ける。ＬＥＤ発光モジュール１３に通電して発光させ通気ダクト、該光線は透光カバー１２を通して照射される。このとき該ＬＥＤ発光モジュール１３は、同時に熱を発生し、該熱は該放熱ファン２が通気ダクト１４内にて作り出す気流と共に前記通気口１６から排出する。該放熱ファン２が作り出す気流により効果的にＬＥＤ発光モジュール１３周囲の温度を下げることができ、且つＬＥＤ発光モジュール１３の全体の放熱効果を上げることができるため、該街灯本体１は光線照度を上げ通気ダクト共に、省エネの効果をも得ることができる。
【００１２】
図４、図５、図６に示すのは本考案の別の実施例である。全体構造及び部品の接続方法は大まか第一実施例と同じであるため、再度言及しない。第一実施例と異なる部分は、ＬＥＤ発光モジュール１３の上に放熱器３を設置し、該放熱器にヒートシンク熱導管４を挿入する。該カバー１１に設置したＬＥＤ発光モジュール１３に通電して発光し、該光源は透光カバー１２を通じて照射する。該ＬＥＤ発光モジュール１３が発生する熱は放熱器３と熱導管４より外部に出し、通気口１６より排出される。該放熱ファン２は穴１５より空気を吸い込んで気流を生じ、放熱器３が吸収した熱は気流と共に素早く流れて通気口１６から排出される。それにより、効果的にＬＥＤ発光モジュール１３全体の放熱効果を増し、該街灯本体１は光線照度を上げるほか、省エネの効果も得ることができる。
【００１３】
本考案の放熱モジュールの放熱ケース構造は下記のメリットを具有する：
１、放熱効果がよい。
２、良好な熱伝導効果を持つ
３、分解及びメンテナンスがしやすい
４、省エネ且つ光線照度を上げることができる。
【００１４】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００１５】
１、街灯本体
１１、カバー
１２、透光カバー
１３、ＬＥＤ発光モジュール
１４、通気ダクト
１５、穴
１６、通気口
２、放熱ファン
３、放熱器
４、熱導管
【図１】
0003158835.tif 000003
【図２】
0003158835.tif 000004
【図３】
0003158835.tif 000005
【図４】
0003158835.tif 000006
【図５】
0003158835.tif 000007
【図６】
0003158835.tif 000008
【手続補正書】
【提出日】平成22年2月10日(2010.2.10)
【手続補正１】
【補正対象書類名】実用新案登録請求の範囲
【補正対象項目名】請求項５
【補正方法】変更
【補正の内容】
【請求項５】
前記放熱器に、一つのヒートシンク熱導管を挿入したことを特徴とする請求項３記載のＬＥＤ街灯放熱構造。